(57)【要約】【課題】  キャッピング時にブリッジが破断するのを防止する。【解決手段】  天面壁１０に連続する側壁１０ｂと、該側壁の内面に設けられた螺合部１３と、該側壁の下端にブリッジ１４を介して接続されたタンパーエビデントバンド１５と、該タンパーエビデントバンドの内面に設けられた係止突起１６と、を備えたキャップにおいて；前記係止突起１６は、容器口部の係合突起に係合する係止面部１７と、周方向に伸びる傾斜面部１９とを備えており、前記傾斜面部１９には、キャッピング時の乗り越え抵抗を減少させるための抵抗減少カット面２０が設けられている。【選択図】  図２
2006036279.tif 000002
【特許請求の範囲】
【請求項１】
天面壁に連続する側壁と、該側壁の内面に設けられた螺合部と、該側壁の下端にブリッジを介して接続されたタンパーエビデントバンドと、該タンパーエビデントバンドの内面に設けられた係止突起と、を備えたキャップにおいて；
前記係止突起は、開蓋時に容器の口頸部の係合突起に周方向に係合する係止面部と、閉蓋方向へ伸びる傾斜面部とを備えており、
前記傾斜面部には、キャッピング時の乗り越え抵抗を減少させるための抵抗減少カット面が設けられていることを特徴とするキャップ。
【請求項２】
前記抵抗減少カット面は、傾斜面部の上端側近傍から下端側に向かって末広がり状に、かつ、径方向外方に傾斜していることを特徴とする請求項１記載のキャップ。
【請求項３】
前記係止突起の下端は、タンパーエビデントバンドの下端より上方に位置していることを特徴とする請求項１、又は、２記載のキャップ。
【請求項４】
前記タンパーエビデントバンドの上端面には、突起部が設けられ、前記側壁の下端面には、前記突起部に対応する切欠きが設けられており、前記突起部および切欠きは閉蓋時には鉛直面同士が当接し、且つ開蓋時には傾斜面同士が摺動することを特徴とする請求項１、２、又は、３記載のキャップ。
【請求項５】
キャップを備えた容器であって；
前記キャップは、天面壁と連続する側壁と、該側壁の内面に設けられた螺合部と、該側壁の下端にブリッジを介して接続されたタンパーエビデントバンドと、該タンパーエビデントバンドの内面に設けられた係止突起と、を備えており、
前記容器は、その口頸部に、前記キャップの螺合部と螺合するねじ部と、前記係止突起に係合する係合突起と、を備えており、
前記係止突起は、開蓋時に容器の口頸部の係合突起に周方向に係合する係止面部と、閉蓋方向へ伸びる傾斜面部と、を備えており、
前記傾斜面部には、キャッピング時の乗り越え抵抗を減少させるための抵抗減少カット面が設けられていることを特徴とする容器。
【請求項６】
前記タンパーエビデントバンド内面の係止突起間には、内向突起が設けられ、係合突起には、前記内向突起が挿入される落下ガイド溝が設けられていることを特徴とする請求項５記載の容器。
【発明の詳細な説明】
【技術分野】
【０００１】
本件発明は、調味料、薬剤等の収納に用いられる、容器及び該容器口頸部に螺着されるキャップに関するものであり、更に述べると、不正開封防止機能を有する容器及びそのキャップに関するものである。
【背景技術】
【０００２】
店頭等には、容器に入った商品が陳列されているが、この容器は、悪戯などにより不正開封されることがある。
そこで、その対策として、キャップに不正開封防止機能を付加した、所謂タンパーエビデントキャップが広く使われている（例えば、特許文献１、参照）。
【０００３】
上記タンパーエビデントキャップは、キャップのスカート下端にブリッジを介してタンパーエビデントバンドが接続されており、該タンパーエビデントバンド内面には、容器の口頸部に設けられた係合突起に係止する、係止突起が設けられている。このキャップでは、開栓時に、開栓方向に回転すると、両突起が係止し、更に回すと、ブリッジが破断してタンパーエビデントバンドがキャップから分離するので、不正開封されたことを知ることができる。
【０００４】
【特許文献１】特開昭６２−１７９９４６号公報
【発明の開示】
【発明が解決しようとする課題】
【０００５】
従来のタンパーエビデントキャップは、周方向の係止によりブリッジの破断を確実にし、開封の有無を外観から即座に判別できるものであるが、キャッピング工程において解決すべき課題が残っている。すなわち、充填工程において容器へ内容物を充填した後、キャップを容器の口頸部へ螺着するが、該係合突起は外方に突出しているので、その部分の径は大きくなっている。そのため、螺合装着時に、タンパーエビデントバンドの係止突起が容器の係合突起を乗り越える際に抵抗が増大し、キャップとタンパーエビデントバンドを連結しているブリッジが破断する、という問題がある。
【０００６】
この発明は、上記事情に鑑み、キャッピング時におけるブリッジの破断を防止することを目的とする。
【課題を解決するための手段】
【０００７】
この発明は、天面壁に連続する側壁と、該側壁の内面に設けられた螺合部と、該側壁の下端にブリッジを介して接続されたタンパーエビデントバンドと、該タンパーエビデントバンドの内面に設けられた係止突起と、を備えたキャップにおいて；前記係止突起は、開蓋時に容器の口頸部の係合突起に周方向に係合する係止面部と、閉蓋方向へ伸びる傾斜面部とを備えており、前記傾斜面部には、キャッピング時の乗り越え抵抗を減少させるための抵抗減少カット面が設けられていることを特徴とする。
【０００８】
この発明の抵抗減少カット面は、傾斜面部の上端側近傍から下端側に向かって末広がり状に、かつ、径方向外方に傾斜していることを特徴とする。この発明の係止突起の下端は、タンパーエビデントバンドの下端より上方に位置していることを特徴とする。この発明のタンパーエビデントバンドの上端面には突起部が設けられ、側壁の下端面には、突起部に対応する切欠きが設けられており、突起部および切欠きは閉蓋時には鉛直面同士で係止し、且つ開蓋時には傾斜面同士で摺動することを特徴とする。
【０００９】
この発明は、キャップを備えた容器であって；前記キャップは、天面壁と連続する側壁と、該側壁の内面に設けられた螺合部と、該側壁の下端にブリッジを介して接続されたタンパーエビデントバンドと、該タンパーエビデントバンドの内面に設けられた係止突起と、を備えており、前記容器は、その口頸部に、前記キャップの螺合部と螺合するねじ部と、前記係止突起に係合する係合突起と、を備えており、前記係止突起は、開蓋時に容器の口頸部の係合突起に周方向に係止する係止面部と、閉蓋方向へ伸びる傾斜面部と、を備えており、前記傾斜面部には、キャッピング時の乗り越え抵抗を減少させるための抵抗減少カット面が設けられていることを特徴とする。
【００１０】
この発明のタンパーエビデント内面の係止突起間には、内向突起が設けられ、係合突起には、前記内向突起が挿入される落下ガイド溝が設けられていることを特徴とする。
【発明の効果】
【００１１】
本件発明は、係止突起が抵抗減少カット面を備えているので、キャッピング時において係止突起が容器の係合突起を乗り越える際に、従来例に比べ、乗り越え抵抗が減少する。そのため、ブリッジに大きな力がかかることはないので、破断を防止し、確実にキャッピングすることができる。
【００１２】
又、タンパーエビデントの上端面には突起部が設けられ、側壁の下端面には、突起部に対応する切欠きが設けられており、突起部および切欠きは閉蓋時に鉛直面同士で当接するので、ブリッジにかかる負荷を軽減することができる。また開蓋時には該突起部と切欠きの傾斜面同士が摺動しながらブリッジの破断を促すので、容易に開蓋操作をおこなうことができる。
【発明を実施するための最良の形態】
【００１３】
この発明の第１実施例を図１〜図３により説明する。
容器１の口頸部２の上部外周面には、図示しないねじ部と係合突起が設けられている。このねじ部には、雄ねじが設けられている。
【００１４】
キャップ１０は天面壁１０ａと側壁１０ｂとを備えている。該側壁１０ｂの内周面には、螺合部１３が設けられ、この螺合部１３には、前記雄ねじと螺合する雌ねじが設けられている。キャップ１０の下端は、弱化連結部、所謂ブリッジ、１４を介してタンパーエビデントバンド１５に連結されている。
【００１５】
前記タンパーエビデントバンド１５の内周面には、係止突起１６が設けられている。この係止突起１６は、開蓋時に容器の口頸部の係合突起に周方向に係止する係止面部１７と、閉蓋方向へ向かって、漸次薄肉となる傾斜面部１９と、抵抗減少カット面２０と、を備えている。
【００１６】
この抵抗減少カット面２０は、キャッピング時に、係止突起１６が係合突起を乗り越える際の、乗り越え抵抗を減少させるためのものであり、例えば、前記傾斜面部１９の上端１９ａ側から係止突起１６の下端１６ｂに向かって末広がり、かつ、径方向外方に傾斜している。そのため、前記下端１６ｂ側が上端１９ａ側より肉薄になっている。
【００１７】
前記係止突起１６の下端１６ｂは、前記バンド１５の下端１５ｂより上方に位置している。この下端１６ｂの位置は、必要に応じて適宜選択され、例えば、前記バンド１５の巾（高さ）の１／３の位置でカットし、係止突起１６の垂直方向の長さが、前記バンド１５の２／３位になるようにする。
【００１８】
タンパーエビデントバンド１５の上端面１５ａには、突起部２１が設けられ、側壁１０ｂの下端面１０ｃには、突起部２１に対応する切欠き２２が設けられており、突起部２１および切欠き２２は閉蓋時には鉛直面２１Y、２２Y同士で当接し、且つ開蓋時には傾斜面２１Z、２２Z同士で摺動する。
なお、突起部２１の沿直面２１Yに対向する側壁１０ｂの下端面には、沿面延長部２２Lが設けられているが、この延長部２２Lにより沿直面２２Yは、側壁10bの下端１０ｃより下方（タンパーエビデント１５側）迄、伸びている。そのため、延長部２２Lの分だけ沿直面２２Yの面積が増えることになるので、前記沿直面２１Y、２２Y同士の接触面積が増大し、より確実に回転を防止することができる。
【００１９】
次に、本実施例の作動について説明する。
キャッピング時：
容器１に内容物を充填した後、キャップ１０を閉蓋方向に回して容器１の口頸部２に螺着し封緘すると、前記バンド１５の係止突起１６は容器口頸部の係合突起を乗り越えるとともに、係止面部１９は前記係合突起の係合面部と対向する。
【００２０】
この時、傾斜面部１９には、抵抗減少カット面２０が設けられ、その下端部側が外方に傾斜しているので、容器口頸部の係合突起への最初の乗り越えが容易におこなわれるとともに、傾斜面部１９の径方向の最大厚み部分を斜めにカットしているので、乗り越え抵抗が減少する。又、前記突起部２１、切欠き２２は、閉蓋時に鉛直面２１Y、２２Y同士が互いに当接し、自由な回転を阻止するので、側壁１０ｂと前記バンド１５は一体状態となり、両者間における位置ずれが発生することがない。そのため、ブリッジ１４に大きな負荷がかかることはないので、キャッピング時におけるブリッジ１４の破断を防止するができる。
【００２１】
開封時：
前記キャップ１０を開蓋方向に回転させると、キャップ１０と容器１の口頸部２との螺合が解除されて開封する。この時、側壁１０ｂの回転に伴ってブリッジ１４で接続されたタンパーエビデントバンド１５も一緒に回転するが、前記係止突部１６の係止面部１７が前記係合突起に当接すると、それ以上回転できなくなる。さらにキャップを開蓋方向へ回転させるとブリッジ１４が破断され、前記タンパーエビデントバンド１５はキャップ１０から分離する。この時、前記突起部２１、切欠き２２の傾斜面２１Z、２２Z同士が摺動しながらブリッジが切断されるので、容易に開蓋操作をおこなうことができる。開蓋後、再び前記キャップ１０を容器１の口頸部２に被着し、元の状態に戻したとしても、ブリッジ１４が切れており、前記タンパーエビデントバンド１５はキャップ１０から分離し、さらに落下しているので、開封したことを確実に知ることができる。
【００２２】
この発明の第２実施の形態を図４、図5により説明するが、図１〜図３と同一図面符号は、その名称も機能も同一である。この実施の形態は前記第１実施の形態に、タンパーエビデントバンドの軸方向の抜け落ちを規制するための、抜け防止機能を設けたことである。
【００２３】
図４に示すように、係合突起２５には、垂直状外面に形成された係合面部２６と、上段係合部２７ａ及び下段係合部２７ｂを有する落下ガイド溝２７と、を備えており、又、図5示すように、タンパーエビデントバンド１５内面の係止突起間には、前記落下ガイド溝２７内に位置する、内向き突起２９が設けられている。
【００２４】
この実施の形態では、キャップ１０を開蓋方向に回すと、ブリッジ１４が引っ張られて前記バンド１５が回転するが、その回転途中において前記係止突部の係止面部が前記係合突起２５に当接するため、それ以上回転できなくなる。さらに回転させると、ブリッジ１４が破断され、前記タンパーエビデントバンド１５は、内向き突起２９に案内されながら、落下ガイド溝２７に沿って落下する。
【００２５】
そして、内向き突起２９が下段係止部２７ｂに当接すると、前記バンド１５の落下は停止する。この時、前記バンド１５の下端１５ｂは、鎖線の位置となり、ブリッジ１４の破断が明確になる。
内容物注出時にはキャップ１０を外して容器を傾けるが、タンパーエビデントバンド１５は、内面に設けた内向き突起２９が上段係合部２７ａに係止するので抜け落ちを防止する。
【００２６】
この発明の第３実施の形態を図６により説明するが、図１〜図３と同一図面符号は、その名称も機能も同一である。この実施の形態と前記第１実施の形態との相違は、抵抗減少カット面の形状及び位置である。
【００２７】
即ち、両実施の形態において、前記カット面２０，３０は、平面図上、三角形状に形成されている点では共通であるが、第１実施の形態では、この三角形の頂点が係止面部１７側にあり、かつ、その底辺は係止面部１７の下端と前記傾斜面部１９の終縁下端まで伸びている。これに対し、第３実施の形態では、抵抗減少カット面３０の頂点Ｐは傾斜面部１９の終縁１９ｓ上に位置しており、かつ、その底辺１９ｂは係止面部１７の近傍から前記傾斜面部１９の終縁１９ｓ下端まで伸びている。
【００２８】
なお、抵抗減少カット面の形状及び位置等は、必要に応じて適宜決められ、特に、上記実施の形態に限定されるものではない。
【図面の簡単な説明】
【００２９】
【図１】本発明の第１実施の形態を示す一部断面正面図である。
【図２】図１の要部拡大図である。
【図３】キャップの底面要部拡大図である。
【図４】本発明の第２実施の形態を示す要部断面図である。
【図５】キャップの要部拡大縦断面である。
【図６】本発明の第３実施の形態を示す要部拡大図である。
【符号の説明】
【００３０】
１      容器
２      口頸部
１０    キャップ
１０ａ  天面壁
１０ｂ  側壁
１３    螺合部
１４    ブリッジ
１５    タンパーエビデントバンド
１６    係止突起
１７    係止面部
１９    傾斜面部
２０    抵抗減少カット面
２１    突起部
２２    切欠き
２９    内向き突起
３０    抵抗減少カット面
【図１】
2006036279.tif 000003
【図２】
2006036279.tif 000004
【図３】
2006036279.tif 000005
【図４】
2006036279.tif 000006
【図５】
2006036279.tif 000007
【図６】
2006036279.tif 000008